(57)【特許請求の範囲】
【請求項１】
被貼付物を略水平方向に移動させるコンベアと、
前記コンベアの側方に位置する架台と、
前記架台により前記コンベアの上方に支持されるとともに、前記被貼付物の上方よりラベルを貼り付ける貼機本体とを備え、
前記貼機本体は、上下方向を軸芯として回動および固定が可能なラベル貼付装置であって、
前記固定のうち一の固定は、所望の角度において可能であるとともに、
前記固定のうち他の一の固定は、前記貼機本体と前記架台とを、ピンを介して咬合させることによりあらかじめ決められた所定角度で可能であるラベル貼付装置。
【発明の詳細な説明】
【技術分野】
【０００１】
本発明は、被貼付物の上方よりラベルを貼り付ける形式のラベル貼付装置に関する。
【背景技術】
【０００２】
商品（被貼付物）をコンベアで移動させながら、上方よりラベルを貼付けるタイプのラベル貼付装置が広く用いられている。例えば、特許文献１には、ラベル貼付部を目的の高さ位置に正確に移動調整する技術が記載されている。かかる技術を適応すれば、商品の厚みにかかわらず、商品にラベルを貼り付けることが可能である。
【０００３】
ところで、貼り付けられる前のラベルは、通常長尺のシート部材を巻回したラベル連続体として供給される。その結果、通常のラベル貼付装置においては、商品に対するラベルの向きは、ラベル連続体におけるラベル方向によって決定される。そのため、商品に対する貼り付け方向を変化させるためには、同様のデザインのラベルであっても、連続するラベルの方向が異なるラベル連続体を個別に用意しなければならなかった。
【０００４】
かかる問題に対し、例えば、特許文献２には、物品に対するラベルの向きを任意に変更できるようにし、汎用性の向上を図ったラベル貼付装置の技術が記載されている。
【先行技術文献】
【特許文献】
【０００５】
【特許文献１】特開２０１１−１５７０９４号公報
【特許文献２】特開２００８−２７３６１３号公報
【発明の概要】
【発明が解決しようとする課題】
【０００６】
ところで、特許文献２の記載の技術は、ラベル連続体からラベルを剥離させた後に、１枚ずつ同ラベルの方向を変えてから貼り付けを行なっている。ラベルの方向転換工程が貼り付け時において追加されているため、工程が複雑となる。また、ラベルの方向転換の機構が付加されているのであるから、故障の可能性も増加する。また、ラベルの方向転換工程は、吸着板に吸着させたラベルを、１枚毎に向きを変える工程であるため、この工程が律速段階となり、貼り付け速度が遅くなる可能性もある。
【０００７】
本発明は係る状況を鑑みなされたもので、工程増となる複雑な機構や工程を貼り付け時に付加することなく、被貼り付け物へのラベル貼り付け方向を変更することができラベル貼付装置を提供することを目的とする。
【課題を解決するための手段】
【０００８】
本発明のラベル貼付装置は、被貼付物を略水平方向に移動させるコンベアと、前記コンベアを支持するとともに前記コンベアの側方に位置する架台と、前記架台により前記コンベアの上方に支持されるとともに、前記被貼付物の上方よりラベルを貼り付ける貼機本体とを備える。前記貼機本体は、上下方向を軸芯として回動および固定が可能である。
【０００９】
上記構成によると、貼機本体は、上下方向を軸芯として回動が可能であるため、貼機本体を回動させることにより被貼付物に対するラベル方向を変化させることができる。また、同回動後の固定が可能であるため、変化させたラベル方向において、被貼付物へのラベル貼り付けが可能となる。なお、この回動および固定は、運転開始時に1度行なえば良いため、貼付け毎にラベルの方向を変換する工程を設ける必要はない。
【００１０】
本発明のラベル貼付装置において、前記固定は、所望の角度において可能であることが好ましい。
【００１１】
上記構成によると、固定は、所望の角度において可能であるため、被貼付物に対するラベルの方向の自由度が大きくなる。
【００１２】
本発明のラベル貼付装置において、前記固定は、あらかじめ決められた所定角度でのみ可能であることも好ましい。
【００１３】
上記構成によると、固定は、あらかじめ決められた所定角度でのみ可能であるため、被貼付物に対するラベルの方向の自由度は所望の角度において可能である発明より小さくなる。その一方、あらかじめ決められた角度に対しては、固定が容易となるように設計がしやすい。そのため、所定の角度に対しては、正確かつ容易に固定することができる可能性が高くなる。
【００１４】
本発明のラベル貼付装置において、前記貼機本体と前記架台とを咬合させることにより前記固定が行なわれることが好ましい。
【００１５】
上記構成によると、貼機本体と架台とを咬合させることにより固定が行なわれるため、簡易な方法で、確実かつ堅固に固定することができる。そのため、ラベル貼付装置の運転中に被貼付物に対するラベルの貼付け角が変化する可能性が低くなることにより、正確な貼り付けが可能となる。
【００１６】
本発明のラベル貼付装置において、前記貼機本体と前記架台とをピンを介して咬合させることにより前記固定が行なわれることが好ましい。
【００１７】
上記構成によると、貼機本体と架台とを咬合させることにより固定が行なわれるため、簡易な方法で、確実かつ堅固に固定することができる。そのため、ラベル貼付装置の運転中に被貼付物に対するラベルの貼付け角が変化する可能性が低くなることにより、正確な貼り付けが可能となる。
【発明の効果】
【００１８】
本発明によると、工程増となる複雑な機構を付加することなく、被貼り付け物へのラベル貼り付け方向を変更することができラベル貼付装置を提供することができる。
【図面の簡単な説明】
【００１９】
【図１】本発明の実施形態に係るラベル貼付装置の正面図である。
【図２】本発明の実施形態に係るラベル貼付装置の貼機本体を９０°回転させた側面図である。
【図３】本発明の実施形態に係るラベル貼付装置の要部拡大図である。
【図４】図３の平面図である。
【図５】本発明の変形例に係るラベル貼付装置の要部拡大図である。
【図６】図５の平面図である。
【発明を実施するための形態】
【００２０】
以下、本発明を適用したラベル貼付装置の実施形態を図１〜図４を用いて説明する。なお、以下の説明において、方向および向きについては、図中に記載した方向および向きを用いる。
【００２１】
図１はラベル貼付装置の正面図で有り、図２は側面図であるが、説明の都合上図１に対し、貼機本体を９０°回転させた状態を示している。この図１および図２に示すように、ラベル貼付装置製造は、架台１０にコンベア２０および貼機本体が支持された構造となっている。より具体的には、架台１０の主柱１１から水平に延設されたコンベア支持部１２によって、コンベア２０は架台１０の側方、より具体的には主柱１１の幅方向の左側に支持されている。コンベア２０は、移動方向の上流側に供給された商品、即ち被貼付物を移動方向の下流側に移動、即ち略水平方向に移動させる機能を有する。
【００２２】
このコンベア２０の上方には貼機本体３０が支持されている。より具体的には、架台１０の主柱１１から水平に延設された貼機本体支持部１３によって、貼機本体３０はコンベア２０の上下方向において上方からつり下げられている。
【００２３】
図２の要部拡大図である図３に示すように、貼機本体３０には回動軸３１が備えられている。この回動軸３１には回動軸３１に固定されるとともに回動軸３１と共に回動する回動板３２が備えられている。一方、貼機本体支持部１３の先端には回動軸３１を受ける軸受部１４が備えられている。この軸受部１４は高さ方向に貫通した貫通孔１４ａを有しており、この貫通孔１４ａに回動軸３１が挿入されている。上記回動板３２は回動軸３１の貫通孔１４ａに挿入された部分の上部に固定されている。そのため、この回動板３２により、回動軸３１は貫通孔１４ａから抜け落ちることなく、軸芯Ｏを中心として回動させることができる。
【００２４】
図３とその平面図である図４を参照して、軸受部１４には側面１４Ｓから軸芯Ｏに向けて貫通する２つの貫通孔１４ｂが設けられている。貫通孔１４ｂの内面には雌ねじが切られているため、この雌ねじに対応するハンドル付きの雄ねじ４１を、側面１４Ｓから軸芯Ｏに向けてねじ込むことにより、回動軸３１を軸受部１４に対して、ひいては、貼機本体３０を架台１０に対して所望の角度に固定することができる。
【００２５】
また、軸受部１４の上部には、回動板固定部材１５がねじ止めされており、その一部が回動板３２の上方に位置している。回動板３２の上方に位置する部分には、回動板３２を固定するピンとして機能するインデックスプランジャー６０が固定されている。このインデックスプランジャー６０はハンドル６１を操作することにより、回動板３２の方向に先端部６２を突出させることができる。
【００２６】
一方、回動板３２の上面において、先端部６２に対応する位置には、先端部６２の形状に対応した形状の固定穴１３ａおよび１３ｂが設けられている。そのため、先端部６２を突出すると、先端部６２が固定穴１３ａ又は１３ｂに挿入されることにより回動板３２が回動板固定部材１５に対して固定される。即ち、貼機本体３０が架台１０に対してピンを咬合させることにより固定される。
【００２７】
ここで、固定穴１３ａは軸芯Ｏに対してそれぞれ９０°間隔で４つ設けられている。また、固定穴１３ｂは２つの固定穴１３ａの中間に１つ設けられている。従って、固定穴１３ｂが設けられている箇所において、固定穴は４５°間隔で設けられていることとなる。その結果、貼機本体３０を架台１０に対してあらかじめ決められた所定角度、即ち、９０°間隔および一部４５°間隔のいずれかの角度にピンであるインデックスプランジャー６０を介して固定することができる。
【００２８】
インデックスプランジャー６０による固定は、あらかじめ決められた所定角度でのみ可能であるため、固定方向の自由度は所望の角度において可能であるハンドル付きの雄ねじ４１による固定に比して小さくなる。その一方、あらかじめ決められた角度に対しては、固定が容易であるため迅速な固定が可能である。また、目視判断によるずれが生じないため、所定の角度に対しては、正確かつ容易に固定が可能となる。
【００２９】
このラベル貼付装置に用いるラベルは、片面に粘着剤を有するラベルを仮着させた長尺状の剥離紙を巻回したラベル連続体（図示略）として供給される。このラベル連続体が上記貼機本体３０が備える、図１に記載のラベル連続体保持軸３４に保持されるとともに、その端部を下方に送られ、ラベルが剥離される。剥離されたラベルは、粘着剤塗布された面と反対の面が吸引された状態でラベル保持部に保持される。ラベルを保持部した状態で、ラベル保持部が下向きに押し下げられることにより、ラベルが被貼付物に押しつけられるとともに貼付けられる。なお、ラベル連続体の端部を下方に送る機構、ラベルを剥離させる機構、ラベルを保持および貼付ける機構は公知の方法であるため、詳細な説明を省略する。
【００３０】
一方、コンベア２０は、ベルトコンベアであって、上流側から下流側に被貼付物略水平方向に移動させる。被貼付物は、非図示のセンサ（例えば光学センサ）により位置が把握され、制御部５０による制御を受けて、ラベル保持部がラベルを貼付ける位置に停止させられる。ラベルが貼付けられた被貼付物は、再び移動が開始され、下流側に移動させられる。
【００３１】
以上に説明した本実施形態によれば、上記した以下の効果を得ることができる。
（１）本実施形態においては、貼機本体３０は、上下方向を回動軸として回動が可能なため、貼機本体３０を回動させることにより被貼付物に対するラベル方向を変化させることができる。また、同回動後の固定が可能であるため、変化させたラベル方向において、被貼付物へのラベル貼り付けが可能となる。なお、この回動および固定は、運転開始時に１度行なえば良いため、貼付け毎にラベルの方向を変換する工程を設ける必要はない。
【００３２】
（２）本実施形態においては、ハンドル付きの雄ねじ４１を用いた固定は、所望の角度において可能であるため、被貼付物に対するラベルの方向の自由度が大きくなる。
【００３３】
（３）本実施形態におけるインデックスプランジャー６０による固定は、あらかじめ決められた所定角度でのみ可能であるため、被貼付物に対するラベルの方向の自由度は所望の角度において可能である発明より小さくなる。その一方、あらかじめ決められた角度に対しては、固定が容易となる。そのため、所定の角度に対しては、正確かつ容易に固定することができる。
【００３４】
（４）またインデックスプランジャー６０による固定は、貼機本体３０と架台１０とをインデックスプランジャー６０を介して咬合させることにより固定が行なわれるため、簡易な方法で、確実かつ堅固に固定することができる。そのため、ラベル貼付装置の運転中に被貼付物に対するラベルの貼付け角が変化する可能性が低くなることにより、正確な貼り付けが可能となる。
【００３５】
なお、上記実施形態は以下のように変更しても良い。
【００３６】
・上記実施形態において、ハンドル付きの雄ねじ４１を用いた固定とインデックスプランジャー６０による固定とを併用しているが、いずれか一方であっても良い。
【００３７】
・上記実施形態において、ハンドル付きの雄ねじ４１を用いた固定とインデックスプランジャー６０による固定とを併用しているが、他の方法で固定しても良い。例えば、図５および図６に示すように、９０度間隔で３つの凹溝１４ｄを設けるとともに、対応する突部３２ａを回動板３２の下部に１つ設けても良い。かかる構造の場合にも、貼機本体３０と架台１０とを凹溝１４ｄおよび突部３２ａを介して咬合させることにより固定が行なわれるため、簡易な方法で、確実かつ堅固に固定することができる。そのため、ラベル貼付装置の運転中に被貼付物に対するラベルの貼付け角が変化する可能性が低くなることにより、正確な貼り付けが可能となる。
【００３８】
・また、インデックスプランジャー６０を用いる代わりに、簡易なピンを挿入する構造や、他の形式のピストンを挿入する構造であっても良い。
【００３９】
・上記実施形態において、コンベア２０はベルトコンベアであるが、ローラーコンベア等他の形式のコンベアであっても良い。
【００４０】
・上記実施形態において、センサとして光学センサを例示しているが、他のセンサであっても良い。要は被貼付物の位置が把握され、制御部５０による制御を受けて、ラベル保持部がラベルを貼付ける位置に被貼付物が停止させられれば良いのであるから、接触式のセンサであっても良い。
【符号の説明】
【００４１】
１０…架台
１１…主柱
１２…コンベア支持部
１３…貼機本体支持部
１３ａ…固定穴
１３ｂ…固定穴
１４…軸受部
１４Ｓ…側面
１４ａ…貫通孔
１４ｂ…貫通孔
１４ｄ…凹溝
１５…回動板固定部材
２０…コンベア
３０…貼機本体
３１…回動軸
３２…回動板
３２ａ…突部
３４…ラベル連続体保持軸
５０…制御部
６０…インデックスプランジャー
６１…ハンドル
６２…先端部
Ｏ…軸芯
【図１】
0005877582.tif 000002
【図２】
0005877582.tif 000003
【図３】
0005877582.tif 000004
【図４】
0005877582.tif 000005
【図５】
0005877582.tif 000006
【図６】
0005877582.tif 000007